(57)【要約】【課題】水流が比較的通りやすく、かつ、糸くずなどの進入も比較的少ない洗濯ネットを提供することを課題とする。【解決手段】各網目の最大幅が１ｍｍ以下の網を袋状に形成してなる洗濯ネットにおいて、前記網の表面に最大経が２ｍｍ〜２０ｍｍの穴を複数配することで、この穴を通して洗濯ネット内に水流を導くことができるようにするとともに、全体が２ｍｍ以上の大きな網目で構成される洗濯ネットに比較して糸くずが入る確率を小さくする。【選択図】  図２
2011055864.tif 000002
【特許請求の範囲】
【請求項１】
各網目の最大幅が１ｍｍ以下の網を袋状に形成してなる洗濯ネットにおいて、前記網の表面に最大幅が２ｍｍ〜２０ｍｍの穴を複数配した洗濯ネット。
【請求項２】
内面に突起物を複数配置した請求項１に記載の洗濯ネット。
【請求項３】
前記突起物は、エラストマー又はプラスチックにより形成される請求項２に記載の洗濯ネット。
【請求項４】
洗濯ネットが膨らんだ状態を保持する弾性体により形成される骨組みが内面及び／又は外面に設けられる請求項１から３のいずれか１項に記載の洗濯ネット。
【請求項５】
外表面に外部側に突出するプラスチック又はエラストマーからなる１以上の羽根を設けた請求項１から４のいずれか１項に記載の洗濯ネット。
【請求項６】
前記洗濯ネットの内面及び／又は外面に１以上の浮きを設けた請求項１から５のいずれか１項に記載の洗濯ネット。
【請求項７】
前記各浮きは、板状であって１以上の穴が形成される請求項６に記載の洗濯ネット。
【請求項８】
前記浮きは前記洗濯ネットの重心を挟む２箇所の対称位置にそれぞれ設けられる請求項６又は７に記載の洗濯ネット。
【請求項９】
両底が塞がれた筒形の袋状に形成される請求項１から８のいずれか１項に記載の洗濯ネット。
【発明の詳細な説明】
【技術分野】
【０００１】
本発明は、洗濯機で洗濯する衣類を収納する洗濯ネットに関し、特に、洗濯ネットの網目の構成に関する。
【背景技術】
【０００２】
洗濯ネットは、衣類に糸くずなどが付着したり、衣類が傷まないようにしたりするために、衣類を内部に収納し、洗濯ネットごと洗濯機に入れて、洗濯を行うものである。この洗濯ネットの網目の大きさは、最大経が１ｍｍ以下のものから１０ｍｍ程度のものまで、種々のものが存在する。
【発明の概要】
【発明が解決しようとする課題】
【０００３】
ところで、網目が細かい洗濯ネットを用いると糸くずなどは入りにくくなるが、洗濯機により起こされる水流が、洗濯ネット内部の衣類に十分に行き渡らないので、汚れ落ちが悪くなり、また、すすぎの際にも、真水が十分に衣類に行き渡らずに、すすぎが不十分になるといった問題が生じる。一方、網目が荒い洗濯ネットを用いると、比較的水流が内部の衣類に行き渡るので上記のようなことはあまり問題とならないが、内部に糸くずなどが入りやすいという問題が生じる。
本発明は、このような問題に鑑み、水流が比較的通りやすく、かつ、糸くずなどの進入も比較的少ない洗濯ネットを提供することを課題とする。
【課題を解決するための手段】
【０００４】
上記課題を解決するために、本発明は次のような構成を有する。
請求項１に記載の発明は、各網目の最大幅が１ｍｍ以下の網を袋状に形成してなる洗濯ネットにおいて、前記網の表面に最大経が２ｍｍ〜２０ｍｍの穴を複数配した洗濯ネットである。
請求項２に記載の発明は、前記洗濯ネットにおいて、洗濯ネットの内面に突起物を複数配置したものである。
請求項３に記載の発明は、請求項２に記載の洗濯ネットにおいて、前記突起物は、エラストマー又はプラスチックにより形成されるものである。
請求項４に記載の発明は、前記洗濯ネットにおいて、洗濯ネットが膨らんだ状態を保持する弾性体により形成される骨組みが内面及び／又は外面に設けられるものである。
請求項５に記載の発明は、前記洗濯ネットにおいて、外表面に外部側に突出するエラストマー又はプラスチックからなる１以上の羽根を設けたものである。
請求項６に記載の発明は、前記洗濯ネットにおいて、前記洗濯ネットの内面及び／又は外面に１以上の浮きを設けたものである。
請求項７に記載の発明は、前記洗濯ネットにおいて、前記各浮きは、板状であって１以上の穴が形成されるものである。
請求項８に記載の発明は、請求項６又は７に記載の洗濯ネットにおいて、前記浮きは前記洗濯ネットの重心を挟む２箇所の対称位置にそれぞれ設けられるものである。
請求項９に記載の発明は、前記洗濯ネットにおいて、両底が塞がれた筒形の袋状に形成したものである。
【発明の効果】
【０００５】
請求項１に記載の発明は、網目が最大経１ｍｍ以下の細かな網で袋状に形成され、これに、いくつかの最大経２ｍｍ〜５ｍｍの大きめの穴を設けることで、この穴を通して洗濯ネット内に水流を導くことができ、水流を衣類に直接触れさせることができる。また、穴部分から糸くずなどが入る確率は、全体が２ｍｍ以上の大きな網目で構成される洗濯ネットに比較して著しく小さくなり、穴の総面積を適宜設定することで、糸くずが衣類に付着することを、十分に防ぐことができる。なお、穴の総面積は糸くずの付着率を低下させる観点からは、洗濯ネット表面の５０％以下にすることが望ましく、また、水流を内部に入れる観点からは、洗濯ネット表面の１０％以上にすることが望ましい。
請求項２に記載の発明は、前記穴から洗濯ネット内に対して進入・排出を繰り返す水流により洗濯ネット内部の洗濯物が十分に動かされ、これにより洗濯ネット内面に設けた複数の突起物に洗濯物が擦られることで、洗濯物の汚れを効果的に落とすことができる。
請求項３に記載の発明は、突起物をエラストマー又はプラスチックとすることで、洗濯物への当たりたソフトになり、洗濯物を痛めにくい。
請求項４に記載の発明は、洗濯中に洗濯ネットを膨らんだ状態に維持できるので、水流を内部に取り込みやすくすることができ、また、内部の洗濯物も洗濯ネット内で動きやすくすることができる。
請求項５に記載の発明は、外表面に羽根を設けることで、洗濯ネット自体を水流で激しく動かすことができるので、水流をより内部に取り込むとともに、内部の洗濯物をより撹拌でき、また、洗濯ネットに入れていない洗濯物と一緒に洗濯をする場合、羽根が洗濯ネット外部の洗濯物を擦ったり、撹拌を促進したりすることで、洗濯ネット外部の洗濯物の汚れ落ちも促進することができる。
請求項６に記載の発明は、洗濯ネットに浮きを設けることで、洗濯槽の底に洗濯ネットが沈むことが抑制されるので、洗濯ネットが動きやすくなり、これによりやはり水流をより内部に取り込むとともに、内部の洗濯物をより撹拌することができる。
請求項７に記載の発明は、板状の浮きに１以上の穴を設けることにより、浮き部分からも水流を洗濯ネット内部に流入させることができ、浮きによる水流の遮断を抑制することができる。
請求項８に記載の発明は、洗濯ネットの重心を挟む２箇所の対称位置に浮きを設けることで、洗濯ネットは水中で重心を中心に左右の浮きで支持される状態となり、洗濯機の水流で対となった浮きが流されて回転が促進されるので、より内部を撹拌することができる。
請求項９に記載の発明は、洗濯ネットを両底が塞がれた筒形の袋状に形成することで洗濯機の洗濯槽の形状に沿った形となり、洗濯槽内に筒体の中心軸と洗濯機の回転軸を平行になるように洗濯ネットを入れることで、洗濯ネットは筒体の中心軸周りを回転することとなり、筒体の外表面の水流が筒体の円周方向に沿って流れるので、前記穴から水流を内部に取り込みやすくすることができる。
【図面の簡単な説明】
【０００６】
【図１】実施形態１に係る洗濯ネットの斜視図である。
【図２】（ａ）は、実施形態１に係る洗濯ネットの縦断面図であり、（ｂ）は、実施形態１に係る突起の配列方向で洗濯ネットを切った部分拡大断面図である。
【図３】（ａ）〜（ｃ）は、実施形態１に係る洗濯ネットの変形例を示す斜視図である。
【図４】実施形態２に係る洗濯ネットの斜視図である。
【図５】実施形態３に係る洗濯ネットの斜視図である。
【図６】実施形態４に係る洗濯ネットの斜視図である。
【図７】（ａ）（ｂ）ともに実施形態４に係る洗濯ネットの変形例を示す斜視図である。
【発明を実施するための形態】
【０００７】
以下、本発明の実施の形態について、図面を参照しながら説明する。
（実施形態１）
図１に実施形態１に係る洗濯ネットＸの斜視図を示し、図２（ａ）に洗濯ネットＸの縦断面図を示す。洗濯ネットＸは、各網目の最大幅が約０．５ｍｍの合成樹脂製の網を両底面を閉じた円筒形に形成した本体部１０、本体部１０を構成する網に一定間隔で複数形成される直径約５ｍｍの穴２０、本体部１０内部に一定間隔で配置されるシリコンゴム製の突起３０とから構成される。本体部１０の一方の底面は分離されるとともに、線ファスナーにより開閉自在に円筒部分に固定されている。
図２（ｂ）に、突起３０の配列方向で洗濯ネットＸを切った部分拡大断面図を示す。穴２０は、本体部１０を構成する網に所定大きさの丸穴を開けた後に、この穴の外縁を溶解させて融合させることで、穴の外縁を強化している。突起３０は砲弾状に形成され、本体部２０の外面側から合成樹脂製のネジにより固定される。
次に、以上のような構成を有する洗濯ネットＸの作用について説明する。使用に際しては通常の洗濯ネットと同様に、内部に洗濯物を入れて封入し、洗濯機に投入して洗濯を行う。これにより、洗濯ネットＸは、洗濯機内で水流にさらされることとなる。ここで、本体部１０の細かな網目と穴２０とから洗浄水が洗濯ネットＸ内部に速やかに浸透するとともに、穴２０から水流が洗濯ネットＸ内に流入することとなる。この水流が洗濯物に当たることで、穴２０を設けない場合に比較して、洗濯物の汚れをより落とすことができる。さらに、水流で撹拌された洗濯物は、内部の突起３０により擦られることで、洗濯板に洗濯物が擦り付けられるのと同様の効果により、さらに、汚れ落ちが促進されることとなる。
なお、洗濯ネットＸの形状は円筒状に限定されるものではなく、例えば、図３（ａ）に示す洗濯ネットＸ２のような球形、図３（ｂ）に示す洗濯ネットＸ３のような扁平な袋体、図３（ｃ）に示す洗濯ネットＸ４のような箱体等、種々の形態を採用することができる。
【０００８】
（実施形態２）
図４に実施形態２に係る洗濯ネットＹの斜視図を示す。洗濯ネットＹの実施形態１に係る洗濯ネットＸとの相違点は、本体部１０に形状を保持するための骨組み４０が設けられている点である。
骨組み４０は、合成樹脂製であり、円筒部分と円形の底面部分とに設けられる。円筒部分に設けられる骨組み４０は、円筒の母線に沿って等間隔で固定される細長い扁平な骨４１から構成される。底面部分に設けられる骨組み４０は、直径を通る６本の細長い扁平な骨４２と、各骨４２を連結する円形の骨組み４３とから構成される。
この骨組み４０により洗濯ネットＹは、洗濯機内で円筒形状が保持され、洗濯ネットＹ内部で空間ができ、これにより空間内で洗濯物が十分動けることと、穴２０からの水流が入りやすいことにより、洗濯物の洗浄効果が高められる。
【０００９】
（実施形態３）
図５に実施形態３に係る洗濯ネットＺの斜視図を示す。洗濯ネットＺは、実施形態２に係る洗濯ネットＹに、さらに、外羽根５０を設けたものである。外羽根５０は、シリコンゴム製の薄い板体により形成され、すべての骨組み４１の下端側に固定されている。
このような構成を有する洗濯ネットＺは、洗濯機内の渦状の水流を外羽根が受けることで、洗濯ネットＹが水流に沿った回転運動を行うこととなり、洗濯ネットＺ内の洗濯物がより撹拌されるとともに、穴２０の外表面を水流が流れることで、穴２０内に水流が取り込まれやすい。さらに、洗濯ネットＹに入れない洗濯物と一緒に洗濯する場合に、シリコンゴム製の外羽根５０と洗濯ネットＹの外の洗濯物とが擦れることで、この外の洗濯物の汚れ落ちを促進することもできる。  
【００１０】
（実施形態４）
図６に実施形態４に係る洗濯ネットＶの斜視図を示す。洗濯ネットＶは、実施形態２に係る洗濯ネットＹに浮き６０を設けたものである。浮き６０は、円筒体の一方の底を形成する円形部分に固定される、発泡合成樹脂の円板体により構成される。浮き６０の中央には線浄水が通りやすいように円形の穴が設けられている。
このような構成を有する洗濯ネットＶは、浮き６０により洗濯ネットＶに浮力が付加されることで、洗濯機内においてほぼ水中で浮遊した状態となるので、渦の流れに沿って動きやすくなり、洗濯ネットＶ内の撹拌を促進でき、また、穴２０からの水流もより取り込みやすくすることができ、これらにより洗濯物の洗浄を促進することができる。
なお、ここでは浮き６０を一方の底面のみに設けているが、図７（ａ）に示す洗濯ネットＶ２のように、両方の底面に設けてもよい。このようにすることで、両方の浮き６０同士がバランスを取るために円筒体の中心軸が水平になるように水中で保持されることになり、この状態で、洗濯槽内を洗濯ネットが回転すると、２つの浮きが水流に流されて回転が促進され、洗濯ネット内の洗濯物をより攪拌することができる。
また、洗濯ネットＶに図７（ｂ）に示す洗濯ネットＶ３のように、外羽根５０を設けてもよい。これによる、洗濯ネットが水中に浮遊する効果と、外羽根５０による回転促進の効果とにより洗濯ネットをより激しく回転させることができる。
さらに、ここでは、浮き６０の中央に大きな穴を一つ設けたが、複数のより小さな穴を設けるような形態でもよい。
それから、浮き６０を一方の底面に設ける場合に、姿勢を安定させるために、他方の底面に錘を設けても良い。この場合、錘は底面の外周に沿ったリング状とすることが望ましい。
【００１１】
なお、上記実施形態では突起３０の形状は砲弾型としているが、突起の形状は半球状としたり、洗濯ネット内部に沿った棒状としたり等、種々のものを採用することができる。
また、実施形態２〜４に係る洗濯ネットの形状も実施形態１に係る洗濯ネットの形状とどうように種々の変形が可能である。
さらに、実施形態２等に示すように洗濯ネットに骨組み４０を設ける場合は、骨組み４０部分に突起３０を固定したり、一体に成型したりするようにしてもよい。
それから、上記実施形態では、穴２０の位置と突起３０の位置とは別であるが、突起３０に穴を設けて穴２０に重なるようにすることもできる。
【符号の説明】
【００１２】
Ｘ、Ｘ２、Ｘ３、Ｘ４、Ｙ、Ｚ、Ｖ、Ｖ２、Ｖ３  洗濯ネット
１０  本体部
２０  穴
３０  突起
４０  骨組み
５０  外羽根
６０  浮き
【図１】
2011055864.tif 000003
【図２】
2011055864.tif 000004
【図３】
2011055864.tif 000005
【図４】
2011055864.tif 000006
【図５】
2011055864.tif 000007
【図６】
2011055864.tif 000008
【図７】
2011055864.tif 000009